(57)【要約】【課題】【解決手段】  表層として仕上げた土地に苗床を敷くのに必要な大量の土壌を得るために、土地の一部を掘削することによって同じ土地にある幅と長さのトレンチと呼ばれる部分を形成して心土の養分を改善する方法。一の実施例では、本発明は、農業地域で米等の伝統的に育成されている穀類を高収穫にする、土壌生産力を改善する新規のプロセスに関する。別の実施例では、小麦等の非伝統的な穀類の高収穫な生産について述べている。両方の生産システムは共に、化学物質ベースの肥料や殺虫剤等の投入が少ない、又は全くないことを保証する。消耗した土壌の生産力レベルの回復の結果として、高栄養レベルに結びついたより高い生産性が、この革新的なプロセスの主要な結果である。【選択図】図１
2008504023.tif 000002
【特許請求の範囲】
【請求項１】
表層として仕上げた土地に苗床を敷くのに必要な大量の土壌を得るために、土地の一部を掘削することによって同じ土地にある幅と長さのトレンチと呼ばれる部分を形成して心土の養分を改善する方法。
【請求項２】
請求項１に記載の心土の養分を改善する方法において、新しい土を敷いた前記表層が、２から６インチの大きさの苗床であることを特徴とする方法。
【請求項３】
請求項１に記載の心土の養分を改善する方法において、敷くために使用した前記土が、同じ選択された土地からのものであることを特徴とする方法。
【請求項４】
請求項１に記載の心土の養分を改善する方法において、前記土地の苗床に土を敷く前に、消耗した土壌の表層を除去して、土地の一方の側に作ったトレンチに敷くことを特徴とする方法。
【請求項５】
請求項４に記載の心土の養分を改善する方法において、土壌交換が、手引き、又は機械引きで行われることを特徴とする方法。
【請求項６】
請求項１に記載の心土の養分を改善する方法において、土を除去するために作られたトレンチが、チャネル又はローテーション方法における各新しい耕作用に、続いて変えられることを特徴とする方法。
【請求項７】
請求項１に記載の心土の養分を改善する方法において、前記表層に新しい土壌を敷いた後に、表層を耕して、前記土地の表層にある新しい土壌と古い土壌を混合することを特徴とする方法。
【請求項８】
請求項１に記載の心土の養分を改善する方法において、前記表層に、新しい土壌を敷いた後に、アンセリエイション（ａｎｃｅｌｉａｔｉｏｎ）特性を有する前記表層に広く散布して、及びアルカリ性を中和することを通してキャスターケーキを混合することを特徴とする方法。
【請求項９】
請求項８に記載の心土の養分を改善する方法において、使用する前記キャスターケーキが粉末状であることを特徴とする方法。
【請求項１０】
心土の養分を改善する方法において、前記新しい土壌が、前記土地にある水路で混合されることを特徴とする方法。
【発明の詳細な説明】
【技術分野】
【０００１】
本発明は、土壌科学の分野、具体的には、害虫の襲撃をなくし又は減らし、植物の改善された生産、良好な保水率に起因するより低い灌漑の必要性、より高い収穫のための土壌の必須養分の改善に関する。
【０００２】
本発明は、消耗した土壌システムの土壌生産力を回復させることによって、穀類生産を強化するプロセスに関する。消耗は、連続シーズンにおける集中した作付実施の要求による過剰生産、自然因子に起因した土壌浸食、不適切な水の管理及び連作等の人為的な土壌劣化の結果生じる。本発明は、化学肥料及び農薬のような高インプットの必要性を軽減し、固有の土壌生産力、保水容量のようなより良い土壌特性、粘土含有量、土壌のもろさを不安定にすることなくより良い栄養能力で高収穫をもたらす低気孔率を回復する。
【０００３】
本発明は、化学肥料のような高インプットを追加する必要性を軽減し、土壌生産力、より良い土壌プロファイル及び物理的状態を回復し、量的及び質的双方において穀物生産のアウトプットをより高める。
【０００４】
参考文献
Henry D. Foth, 1990, Fundamentals of Soil Science, 8th Edition, John Wiley & Sons Inc.
David Tilliman et al 2002, Agricultural Sustainability and intensive production practices, Nature 418,671 -677.
Byeriee D 1996, Modern varieties, and sustainability-recent experience and emerging challenges, World Dev 24:697 - 718 
Cassman, K.G., 1999, Ecological Intensification of Cereal Production Systems; yield potential, soil quality & precision agriculture. Pro. Natl Acad. USA 96, 5952-5959.
Pinstrop-Andersen and R.Pandya-Lorch, 1996. Food for all in 2020-can the world be fed without damaging the environment, Environ. Conserv. 23, 226-234
Cassman et al, 1993, Nitrogen use efficiency of irrigated rice: What are the key constrains, Plant Soil 155/156, 359-362
Patent No.2224398; Salanginas L. A; Satubaldin K. K.
Patent; US 20040050561 ; Lewellen, Dennis L.; et al; Method and apparatus for tilling an agricultural field.
Patent; US 6,695,892; Fischer,- et al.; Organic fertilizer having humic properties itsmethod of production and its use.
Patent; US 20040043445; Daniels, Ralph S., Oilseed extract products and uses.
Vyavasaya Panchangam, 2004-2005 (telugu lang. India), Compilation of cultivation methods 2004-05, Edited by Dr. D.Ramchandra Reddy et al, Acharya N.G.Ranga Agricultural Univeristy, Hyderabad, India, page no. 10, 14-15.
【０００５】
本発明の背景
土壌は、植物の生長に関わる様々な大きさの様々な組成物でできた鉱物及び有機粒子の混合物と見ることができる。この粒子は、土壌の体積の約５０％を占める。約５０％の残りの土壌体積は、間隙であり、種々の形状や大きさの孔から成る。この間隙は、空気や水を含み、空気や水の移動用チャネルとして機能する。土中にはった根は植物を支え、根は水及び栄養を吸収する。植物の良好な生長のためには、根−土壌環境が、阻害因子を含んでいてはならない。植物が土壌から吸収して、利用する３つの必須のものは：（１）水、これは主として植物の葉から蒸散する、（２）栄養となる養分、（３）根が呼吸するための酸素、である。
【０００６】
植物はそのライフサイクルを完了するには、ある種の必須養分を必要とする。これらの養分に完全に代わることができる他の要素はない。現在、少なくとも１６の要素がほとんどの維管束植物の生長に必須であると考えられている。炭素、水素及び酸素は、光合成反応で結合され、空気や水から得られる。これらの３つの要素は、植物のドライマター（ｄｒｙ  ｍａｔｔｅｒ）の９０％又はそれ以上を構成する。残りの１３の要素は、ほとんど土壌から得られる。窒素（Ｎ）、リン（Ｐ）、カリウム（Ｋ）、カルシウム（Ｃａ）、マグネシウム（Ｍｇ）、及び硫黄（Ｓ）は、多量要素として必要とされる。微量要素と呼ばれる、かなり少量を必要とする要素は、ホウ素（Ｂ）、塩素（Ｃｌ）、銅（Ｃｕ）、鉄（Ｆｅ）、マンガン（Ｍｎ）、モリブデン（Ｍｏ）、及び亜鉛（Ｚｎ）である。コバルト（Ｃｏ）は、いくつかの植物のみに必要とされる微量要素である。
【０００７】
自然界では、植物は、得られる養分の供給に自身を適応させる。自然土の又は心土を農作物栽培好適地に換えた後、任意の適度な間、高収穫量を生産するために、必須養分を十分に供給することができる土壌は滅多にない。従って、土壌生産力を増大する（養分イオンを増加させる）家畜糞尿の使用やその他の土壌改良は、古くからの土壌管理習慣である。Ｆｕｎｄａｍｅｎｔａｌｓ  ｏｆ  Ｓｏｉｌ  Ｓｃｉｅｎｃｅｓ  ｂｙ  Ｈｅｎｒｙ  Ｄ．Ｆｏｔｈ．８ｔｈ  Ｅｄｉｔｉｏｎ，１９９０，Ｊｏｈｎ  Ｗｉｌｅｙ  ＆  Ｓｏｎｓ  Ｉｎｃ．に報告されている。
【０００８】
これらの土壌では、連続的に季節作物を数回栽培するので、最近の数回の実施は、新しい有機及び無機化合物の使用によって土中の養分を増やし、生産物を増加させる。これらの生産物の欠点は、植物に特定の養分のみを供給することである。一般的に、植物は概念化法で養分を必要とする。従って、化学肥料の過剰な使用によって生産力レベルがより低くなっている土壌は、有機質、土壌硬化にアンバランスを引き起こし、有機質が加速度的に破壊されることが知られている。農産物から受ける社会への利益の正味量を最大化するという持続可能な農業ゴールを利用するのであれば、より高い生産性を保証し、穀物の質を農家の低い投入を含めて技術を伴う土壌エコシステムに損失なく向上させるための、新しい奨励金システムを案出する必要がある（Ｄａｖｉｄ  Ｔｉｌｌｉｍａｎ  ｅｔ  ａｌ  ２００２，Ｎａｔｕｒｅ  ４１８：６７１−６７７）。
【０００９】
これらの有機及び無機製品の使用を通して生長した食物穀類は、これを継続的に消費する人類に対して悪影響を及ぼす化学物質を多く含有することが明らかである。
【００１０】
これらの化学製品の使用に取って代わる、耕作又は農業の新しい方法についての様々なサーチがなされた。唯一の代替法は、全ての多量及び微量要素を十分に含む土壌が心土である新しい土地で再耕作することである。この方法は、新しい土地で田畑を形成すること、用水路の形成、雑草を引くこと等の根気のいる作業を毎回含み、新しい土地に入る度にその土地を耕すことは不可能である。更に、新しい土地を耕作することは、毎回土地の購入代金の支払いを含むことになる。
【００１１】
毎回この困難に直面すると、農業／耕地の目的のために入手する同じ土地で耕作することは、許容される実施である。土地を耕作し、穀物を育てる度に、収穫量の低さ、植物の生長不足、より長い継続期間等から穀物を安全に保護するために、全ての有機又は無機化学物質を使用し、これを介して所望の穀物に人工養分を供給する。
【００１２】
このように、同じ耕作地で穀物を何度も連作することによって、現在農家は、人類に悪影響を与える化学製品の使用を伴うこの耕作方法に慣らされている。
【００１３】
従って、効率を高める実施、穀物の高収穫のための窒素、リン、水の使用を含む生態学に基づいた管理実施には、日にちが必要である。これは、生産のより良い栄養レベルに加えて、処理、社会の健康ディメンション（ｈｅａｌｔｈ  ｄｉｍｅｎｓｉｏｎ）への必要性を援助する。収穫レベルを改善することと、耕作者の低い投資を伴う地球の土地及び水源によって提供される生態系サービスの質及び量を保存するという二重の目的を我々はいかにして達成することができるだろうか？いくつかの国は、持続的農業を求めて奨励を行い、方針を提供している（Ｂｙｅｒｌｅｅ  Ｄ  １９９６．Ｗｏｒｌｄ  Ｄｅｖ  ２４：６９７−７１８）。現在の耕作の実施は、自然環境の悪化、特に土壌の悪化、いくつかの生物的ストレスの危機に関する損失を低減し、米や小麦等の穀物の生産レベルの安定化を低下させるので、製品パラメータの大きな変化は、地球規模のレベルで表明されている（Ｃａｓｓｍａｎ  ＫＧ  １９９９，Ｐｒｏｃ．Ｎａｔｉｏｎａｌ  ａｃａｄｅｍｙ  ｏｆ  Ｓｃｉｅｎｃｅｓ，ＵＳＡ．９６：５９５２−５９５２）。研究員の中には、これらの問題のいくつかを克服する新しい実行可能な技術を研究している。（Ｐｉｎｓｔｒｏｐ−Ａｎｄｅｒｓｅｎ  ａｎｄ  Ｒ．Ｐａｎｄｙａ−Ｌｏｒｃｈ，１９９６．Ｅｎｖｉｒｏｎ．Ｃｏｎｓｅｒｖ．２３，２２６−２３４；Ｃａｓｓｍａｎ  ｅｔ  ａｌ  １９９３，Ｐｌａｎｔ  Ｓｏｉｌ  １５５／１５６，３５９−３６２；Ｐａｔｅｎｔ  ｎｏ：ＲＵ  ２２２４３９８；２００４−０２−２７，ＥＰＯ）。
【００１４】
本発明者は、高い値の天然資源を得るための土壌の養分を増加する新しいプロセスを実施した。また、これは、灌漑前の耕作又は農業の新しいプロセスを含み、失った養分を完全に取り戻すので、これによって土壌が新しい強さを取り戻す。
【００１５】
本発明の目的
本発明は、高い値の天然資源を得るための、土壌の養分を増加させるプロセスである。このプロセスを通して、本発明者は広範な利益及び利点を主張する。
【００１６】
１．土壌中の養分を増加させる本発明のプロセスの利点によって、土壌を回復させ、消耗土壌の栄養分を回復する。
【００１７】
２．土壌中の養分を増加させる本発明のプロセスの別の利点によって、土壌中に新しい力を取り戻す。
【００１８】
３．土壌中の養分を増加させる本発明のプロセスの別の利点によって、化学肥料とその他の無機製品を使用しなくて済む。
【００１９】
４．土壌中の養分を増加させる本発明のプロセスの別の利点によって、非常に高収穫の穀物が広範に生長する。
【００２０】
５．土壌中の養分を増加させる本発明のプロセスの別の利点によって、耕作の度に新しい土地の購入しなくて済む。
【００２１】
６．土壌中の養分を増加させる本発明のプロセスの別の利点によって、化学物質を使用しない、又は化学物質の使用を減らし、地下水の汚染の危険性を解決する。
【００２２】
７．土壌中の養分を増加させる本発明のプロセスの別の利点は、ダイエット用の栄養補助食品（人工又は天然）の必要性を低減する高栄養価の農作物インターンを得ることである。
【００２３】
８．土壌中の養分を増加させる本発明のプロセスの別の利点は、殺虫剤の必要性を低減して、毒性レベルの低い安全な農産物を導くことである。
【００２４】
本発明者は、人類に利用可能な上記の利点を通して、各農家／耕作者に新規で、簡便且つ有益な発明を主張する。
【００２５】
本発明の要約
農地の片側の通路のごく一部から心土を掘削する。チャネルは幅２．５フィート、深さ４フィートのトレンチ（図１）であり、土壌は、プロクレイナー（ｐｒｏｃｌａｉｎｅｒ）で掘削する。深さ４”インチに表土を除去し、トレンチに入れて、被覆する。掘削した土を、農地に撒いて、規定量のキャスターケーキ１．４トン／ｈａを加える。実施パッケージによって推奨される場合、化学肥料は添加されない。
【００２６】
本発明者は、この技術によって、化学物質の使用をなくし、又は減らし、この地域にまもなく生ずる問題である地下水の汚染の危険性も減少すると考えている。化学肥料の使用は、その地域の地下水及び井戸水に浸出する化学物質の危険性を増加させることが知られており、農業家は、ここに提言されている準備方法を使用して、農業家は、天然資源が保存され、より良い土壌特性、テクスチャ、気孔率、水保持力と、心土環境中に備わっている高い有機物含有量に起因して、植物がより元気に育つと考えている。
【００２７】
従って、農業家は、量が増えて、より良質の生産物を得る。
【００２８】
本発明の説明
図１は、トレンチの幅（１）、トレンチの深さ（２）、耕地用に選択された土地全体（３）、作ったトレンチ（４）を示す。
【００２９】
図２は、トレンチの幅（１）、トレンチの深さ（２）、耕地用に選択された土地全体（３）、次年度に作ったトレンチ（５）を示す。
【００３０】
図４は、掘削した土（６）、トレンチの深さ（７）、トレンチの幅（８）を示す。
【００３１】
図６は、掘削した土のサンプル（９）、及び表土サンプル（１０）を示す。
【００３２】
図１２は、淡水の流れ（１１）、タンク（１２）、心土の混合（１３）、心土と混合する水の供給（１４）を示す。
【００３３】
本発明者自身が農業家／耕作者であるので、同じ土地を何度か耕作した後でも土壌中の養分を増加させるプロセスを説明するために、自分の言葉で自身の発明を記載した。
【００３４】
特定の方法のプロセスを記載するために、本発明者は、ここで耕作用の１ヘクタールの土地を用いている。この土地の土地管理のこれまでの形跡は、何度か起耕され、耕作されており、多くの農作物が何回か育てられている。何度かの耕作後、この土地は、この農地／土地で生育した以前の作物によって養分が初期に吸収されているので、養分が少ない土壌と呼ばれている。
【００３５】
ここで、正方形又は長方形の形状であるこの土地の、幅２．５ｆｔ及び深さ４ｆｔを取り上げて、農地／土地のこの選択された部分を、所定のレベルである４ｆｔに掘る。掘り出した土は、掘り起こした場所／穴の後方においておく。
【００３６】
次いで、機械を使って、又は手で、選択した土地全体に存在する表土を、２”から６”インチの深さまで除去して、この除去した土全部を、前記掘り起こした場所／穴に敷く。
【００３７】
掘り起こした場所／穴にこの土を敷いた後、掘り起こした場所／穴から以前に除去した新鮮な土で、以前に土を除去した場所に４”から６”インチの高さに土地全体の表面を覆う。ここでは、土地全体を、新しい土、又は、耕地／農業用に選択された土地の同じ区画の一の選択された場所の底から掘り起こした心土で覆う。
【００３８】
新しい土で覆った後、表面を６”インチ（ほぼ）の深さに耕して底部の古い土を、新しい土と混ぜ合わせて、混合が行われる。
【００３９】
また、本発明においては、発明者は、次の耕作のための解決策を与えている。次の耕作の収穫において、本発明者は、以前のトレンチの隣に新しいトレンチを作り、所望の深さから新しい土を得る。古い土を除去し、心土で覆う次の手順が行われる。
【００４０】
新しい耕作を行う度に、消耗した土壌の地力を回復するこのプロセスを用いて、同じ土地を使用して同じ土地の土を取って被覆する。更に、土地全体が２５’ｆｔの長さである場合、この土地は、約１０回の収穫の期間、使用することができる。そして、その後、同じ手順が最初から続けられ、５−１０年の期間でトレンチに充填された土が、生物学的に養分を取り戻す。
【００４１】
他の外部源からの土が置かれず、土壌の生産力を強化するという特性が、同じ小地区／土地の土から調達されたことは重要である。これは、天然資源に負荷をかけることなく環境的なバランスがとれている珍しいケースである。
【００４２】
両土の結果を、ここに示す：
【００４３】
2008504023.tif 000003
【００４４】
ＥＣ：電気伝導度，Ｎ：窒素，Ｋ：カリウム，Ｆｅ：鉄，Ｍｎ：マンガン，Ｃｕ：銅，Ｚｎ：亜鉛
【００４５】
例：
耕作した土地の土壌の栄養状態を増加させるための上記のプロセス後に、本発明者は、以下の耕作例によって、実際に研究を行った；
【００４６】
米の穀物栽培の実施
土壌の性質：
土壌は深さ１２から１５ｃｍのチャルカ（ｃｈａｌｋａ）として地方で知られる砂壌土であった。表土及び心土サンプルを、野原から収集した。また、土壌サンプルは、稲を移植する前に、１区画当たり１２８５ｍ２に対して、２キンタルのキャスターケーキ＋１００ｋｇの肉骨粉が添加された農地から収集した。これらの土壌の特性は以下の通りである：
【００４７】
稲作の品種：
細粒、製粉品質と調理品質が良い「サンバマースリ（Ｓａｍｂａ  Ｍａｈｓｕｒｉ）」として広く知られている米の品種、ＢＰＴ５２０４（地方で入手できる品種）を、この農地で生育した。この品種は、平均１５０日で収穫でき、害虫及び病気の双方に感染しやすいことが知られている。この品種の平均収穫量は５．０から５．５ｔ  ｈａ−１であり、好ましい条件下では、８．０から８．５ｔ  ｈａ−１に達することが可能である。
【００４８】
育苗床：
品種ＢＰＴ５２０４の苗床は、推奨の条件で生育した。苗床に２００３年７月１８日に種を蒔いた。苗床には、無機肥料は使用しなかった。
【００４９】
移植：
４０日生育した苗を苗床から引き抜き、無作為に、１株当たり２から３本の苗を良く準備を整えた主農地に移植した。主農地において、１ｍ２に約４５株の均一数を育成した。
【００５０】
灌漑：
稲を井戸水で灌漑した。この農業家は農地を数日半乾きに保ち、灌漑を最小に抑えて水を節約した。
【００５１】
肥料：
本発明者は、稲作に無機肥料を使用していないことを主張している。キャスターケーキと肉骨粉（農場副製品）のみを農地に用いて、農産物を得た。播種に先立って基礎的な投与の散布のみを施す。詳細は以下の通りである：
【００５２】
１区画の面積    ：１４２８平方ヤード（１２８５ｍ２）
キャスターケーキ：２００ｋｇ
肉骨粉          ：１００ｋｇ
【００５３】
稲は、推奨される実施パッケージに従ってこの農地に移植される。
【００５４】
実施パッケージによると、開花段階で、窒素の使用が推奨される。しかしながら、本発明者は、作物の収穫レベルを促進する目的で、１エーカー当たり１トンの割合で灌漑水を通して掘削した心土を使用した。
【００５５】
他の肥料（化学物質／有機物）は使用しなかった。
【００５６】
作物の生育状態はよく、健康であり、みずみずしい。また、生理学的に、作物は非常に活力がある。害虫は見られなかった。他の農地が感染していたので、種ができる前に予防的にスプレーをする。
【００５７】
本発明者は、肥料を用いた場合の６．５ｔ／ｈａの期待平均と比較して、１０．３１ｔ／ｈａの高収穫量を記録した。
【００５８】
2008504023.tif 000004
【００５９】
ＡＮＧＲＡＵ：Ａｃｈａｒｙａ  Ｎ．Ｇ．Ｒａｎｇａ  Ａｇｒｉｃｕｌｔｕｒａｌ  Ｕｎｉｖｅｒｉｓｔｙ，Ｈｙｄｅｒａｂａｄ，Ｉｎｄｉａ  ｒｅｌｅａｓｅｄ  ｖａｒｉｅｔｙ．
試験方法：ＡＯＡＣ  １７ｔｈ  Ｅｄｉｔｉｏｎ  ２０００による−タンパク質：３２．１．２２（９８４．１３）．
標準結果：Ｎｉｒｍａｌａｄｅｖｉ  ｅｔ  ａｌ，２０００，Ｇｅｎｅｔｉｃ  ｖａｒｉａｂｉｌｉｔｙ  ＆  Ｑｕａｌｉｔｙ  ａｎａｌｙｓｉｓ，Ｂｕｌｌｅｔｉｎ  ｏｆ  Ｇｒａｉｎ  Ｔｅｃｈｎｏｌｏｇｙ，ｖｏｌ．３３，Ｎｏ．２，ｐａｇｅ  １１４−１２２．
【００６０】
小麦の作物栽培の実施：
農地の一方の側の小さいチャネル部分から心土を掘削した。このチャネルは、２．５フィート幅、４フィートの深さのトレンチ（図１）であり、プロクレイマ（トレンチを掘る機械）で掘削した土である。４インチの深さの表土をくずして、トレンチの中に入れて、被覆する。掘削した土を、農地に敷いて、キャスターケーキ（ｃａｓｔｏｒ  ｃａｋｅ）の基本的投与量＠１．４トン／ｈａの上に撒く。実習パッケージによって推奨されている化学肥料は使用しない。
【００６１】
土壌の栄養状態のデータ：
【００６２】
2008504023.tif 000005
【００６３】
ＥＣ：電気伝導度，Ｎ：窒素，Ｋ：カリウム，Ｆｅ：鉄，Ｍｎ：マンガン，Ｃｕ：銅，Ｚｎ：亜鉛
【００６４】
表土の肥沃状態は、心土よりも低く、心土は、高い養分状態を示していることが分かる。
【００６５】
キャスターケーキ（ｃａｓｔｏｒ  ｃａｋｅ）を使用しているため、窒素量は多いが、これ以外の全養分が少ない状態が、穀物への栄養摂取量を示す。この摂取量は、穀物スタンドと健康状態により、良好であった。収穫は、１ヘクタール当たり５．６トンであり、これは高い数字であった。小麦は、この農業気候地帯で、伝統的に育てられている穀物ではない。従って、土壌を掘削して、及び、農地内で微粉状にするこのプロセスによって、このようなラテライト性土壌（ｌａｔｅｒｔｉｃ  ｓｏｉｌ）で生育しない穀物でも、他の化学物質を投入せずに良好な収穫量で育てることができる。このプロセスは、消耗した土壌が同じ小区画の土壌中で再生されるため、経済的に実行可能であり、栽培者は収穫量を増加させるため、又は害虫の襲撃をなくすために、何かを投入する必要がない。また、穀物の収穫が、環境的に安全である。飼料用のわらが、乳を出す動物に喜ばれることが分かった。
【００６６】
穀類の栄養状態は次のようである：
【００６７】
2008504023.tif 000006
【００６８】
ＭＡＨＹＣＯ：Ｍａｈａｒａｓｔｒａ  Ｈｙｂｒｉｄ  Ｓｅｅｄｓ  Ｃｏｍｐａｎｙ，Ｊａｌｎａ，Ｍａｈａｒａｓｔｒａ，Ｉｎｄｉａ．
試験方法：ＡＯＡＣ  １７ｔｈ  Ｅｄｉｔｉｏｎ  ２０００による−タンパク質：３２．１．２２（９８４．１３）．
標準結果：Ｍａｈａｒａｓｔｒａ  Ｈｙｂｒｉｄ  Ｓｅｅｄｓ  Ｃｏｍｐａｎｙ，ｌｎｄｉａ．による実施の推奨パッケージによる
【図面の簡単な説明】
【００６９】
【図１】図１は、本発明者のプロセスの初年のトレンチを示す図である。
【図２】図２は、本発明者のプロセスの次の連続作付で作られたトレンチを示す図である。
【図３】図３は、トレンチのマーキングを示す。
【図４】図４は、トレンチが、深さ４ｆｔ、幅２  １／２ｆｔに掘削したトレンチを示しており、掘削した土と、掘ったトレンチを示す。
【図５】図５は、土地／小地区からの表土の除去を示す。
【図６】図６は、掘削した土と表土との間のサンプルの違いを示す。
【図７】図７は、横に掘削した土を有する空のトレンチを示す。
【図８】図８は、表土で埋めたトレンチの充填を示す。
【図９】図９は、残りの農地／土地への心土の散布を示す。
【図１０】図１０は、上記プロセスによって、育成した優秀な結果を伴う米を示す。
【図１１】図１１は、上記プロセスによって、育成した優秀な結果を伴う小麦を示す。
【図１２】図１２は、タンクで混合した心土と、心土と共に行う作物への水の供給を示す。
【図１】
2008504023.tif 000007
【図２】
2008504023.tif 000008
【図３】
2008504023.tif 000009
【図４】
2008504023.tif 000010
【図５】
2008504023.tif 000011
【図６】
2008504023.tif 000012
【図７】
2008504023.tif 000013
【図８】
2008504023.tif 000014
【図９】
2008504023.tif 000015
【図１０】
2008504023.tif 000016
【図１１】
2008504023.tif 000017
【図１２】
2008504023.tif 000018
【国際調査報告】
2008504023.tif 000019
2008504023.tif 000020